(57)【要約】【課題】物品の画像データも含めた物品情報を簡易に管理する物品管理システム、仮想管理サーバ、無線通信端末、物品管理方法、プログラム及び記録媒体を提供する。【解決手段】管理用端末と仮想空間サーバと無線通信端末とがネットワークを介して接続され、管理用端末は、仮想空間イメージを設定する手段と、仮想空間内のさらに細かい位置を設定する手段とを備え、仮想空間サーバは、設定された仮想空間イメージ情報と位置エリア情報を格納する手段と、ネットワークを介して受信した登録情報の処理を行う手段とを備え、格納する手段は、前記登録情報も格納し、無線通信端末は、格納する物品の画像データと、物品名と、格納した場所を識別する位置情報と、を少なくとも含む登録情報を作成する手段と、登録情報を前記ネットワークを介して仮想空間サーバへ送信する手段とを備えることを特徴とする物品管理システムである。【選択図】図１
2009196805.tif 000002
【特許請求の範囲】
【請求項１】
管理用端末と、格納場所の仮想空間を制御する仮想空間サーバと、無線通信端末とが、ネットワークを介して接続され、
前記管理用端末は、
前記仮想空間サーバが制御する格納場所の仮想空間イメージを設定する設定手段と、
前記仮想空間内のさらに細かい位置を設定する位置エリア設定手段と、を備え、
前記仮想空間サーバは、
設定された仮想空間イメージ情報と位置エリア情報を格納する格納手段と、
前記ネットワークを介して受信した登録情報の処理を行う登録情報処理手段と、を備え、
前記格納手段は、前記登録情報も格納し、
前記無線通信端末は、
前記格納場所に格納する物品の画像データと、前記物品の物品名と、前記格納した場所を識別する位置情報と、を少なくとも含む登録情報を作成する作成手段と、
前記作成された登録情報を前記ネットワークを介して前記仮想空間サーバへ送信する通信手段と、
を備えることを特徴とする物品管理システム。
【請求項２】
前記無線通信端末は、実空間の格納場所に設置されたタグから、位置エリアを識別する識別情報を読み取るリーダを備え、
前記登録情報に含まれる位置情報は、前記リーダで読み取られた識別情報であることを特徴とする請求項１項記載の物品管理システム。
【請求項３】
管理用端末と、格納場所の仮想空間を制御する仮想空間サーバと、無線通信端末とが、ネットワークを介して接続され、
前記管理用端末は、
前記仮想空間サーバが制御する格納場所の仮想空間イメージを設定する設定手段と、
前記仮想空間内のさらに細かい位置を設定する位置エリア設定手段と、
前記仮想空間イメージ内で物品を格納したい格納場所を指定する指定手段と、を備え、
前記仮想空間サーバは、
設定された仮想空間イメージ情報と位置エリア情報を格納する格納手段と、
前記管理用端末が備える指定手段により指定された格納場所の位置を特定する位置特定手段と、
前記特定された位置の位置情報を前記無線通信端末に送信する登録依頼送信手段と、
前記ネットワークを介して受信した登録情報の処理を行う登録情報処理手段と、を備え、
前記格納手段は、前記登録情報も格納し、
前記無線通信端末は、
前記格納場所に格納する物品の画像データと、前記物品の物品名と、を少なくとも含む登録情報を作成する作成手段と、
前記作成された登録情報を前記ネットワークを介して前記仮想空間サーバへ送信する通信手段と、
を備えることを特徴とする物品管理システム。
【請求項４】
前記作成手段は、メール作成機能を用いて作成し、
前記通信手段は、前記作成されたメールを送信することを特徴とする請求項１から３のいずれか１項記載の物品管理システム。
【請求項５】
前記無線通信端末は、撮像手段を備え、
前記画像データは、前記撮像手段により作成された画像データであることを特徴とする請求項１から４のいずれか１項記載の物品管理システム。
【請求項６】
前記管理用端末は、
前記仮想空間サーバに、物品管理状況閲覧の要求を行う要求手段と、
前記要求に応じて前記仮想空間サーバから送信された仮想空間イメージ、位置情報、画像データに基づき、前記仮想空間イメージ内に前記画像データを前記位置情報で示される位置に配置した状態をＣＧ画像で描写する表示手段と、を備え、
前記仮想空間サーバは、
前記要求手段に応じて、前記データ格納手段に格納した情報を抽出し、仮想空間イメージ、位置情報、画像データを送信する管理状況送信手段を備えることを特徴とする請求項１から５のいずれか１項記載の物品管理システム。
【請求項７】
実空間にある物品を格納する格納場所の仮想空間イメージを少なくとも１以上と、
画像データと、前記物品の物品名と、前記物品を格納した実空間の場所を識別する位置情報と、を少なくとも含む登録情報をネットワークを介して受信する通信手段と、
前記受信した登録情報の処理を行う登録情報処理手段と、
前記登録情報を格納するデータ格納手段と、
を備えることを特徴とする仮想空間サーバ。
【請求項８】
実空間にある物品の画像データと、前記物品の物品名と、前記物品を格納した場所を識別する位置情報と、を少なくとも含む登録情報を作成する作成手段と、
前記作成された登録情報を前記ネットワークを介して外部装置へ送信する通信手段と、
を備えることを特徴とする無線通信端末。
【請求項９】
設定された物品格納場所の仮想空間イメージと、前記仮想空間内のさらに細かい位置を設定された場合はその位置エリアと、を格納するステップと、
実空間にある物品の画像データと、前記物品の物品名と、前記物品を格納した実空間の場所を識別する位置情報と、を少なくとも含む登録情報をネットワークを介して受信するステップと、
前記受信した登録情報の処理を行うステップと、
前記処理された登録情報を格納するステップと、
を備えることを特徴とする物品管理方法。
【請求項１０】
設定された物品格納場所の仮想空間イメージと、前記仮想空間内のさらに細かい位置を設定された場合はその位置エリアと、を格納する処理と、
実空間にある物品の画像データと、前記物品の物品名と、前記物品を格納した実空間の場所を識別する位置情報と、を少なくとも含む登録情報をネットワークを介して受信する処理と、
前記受信した登録情報の処理を行う処理と、
前記処理された登録情報を格納する処理と、
を備えることを特徴とする物品管理プログラム。
【請求項１１】
前記請求項１０記載の物品管理プログラムの処理を記録するコンピュータ読み取り可能な記録媒体。
【発明の詳細な説明】
【技術分野】
【０００１】
本発明は、物品管理システム、仮想管理サーバ、無線通信端末、物品管理方法、プログラム及び記録媒体に関し、特に物品の画像データも管理する物品管理システム、仮想管理サーバ、無線通信端末、物品管理方法、プログラム及び記録媒体に関する。
【背景技術】
【０００２】
現在、物品を大量に管理する場合に、実際の物品がどの場所に保存（配置）しているかは、人手で管理を行うか、専用のシステムを構築して管理を行っている。店舗での商品陳列棚の管理にも専用のシステムが利用されている（例えば特許文献１参照）。
【０００３】
倉庫の管理や住宅内にいかなる物品を所有しているか把握するため等にも、専用のシステムが利用されている（例えば特許文献２記載）。特許文献２記載の住宅内の物品管理方法では、住宅の各領域の名称、物品の分類を示すコード、前記物品が住宅内のいずれの領域に配置されるか示すコードを記憶して管理する。
【０００４】
しかしながら、上述したような専用システムの場合はシステム構築が大掛かりでコストがかかるため、SOHOや個人レベルの管理では図１５に示すような表計算ソフト等で作成した簡易な台帳が用いられている。
【特許文献１】特開２００５−３４３５８号公報
【特許文献２】特開２００２−６００２４号公報
【発明の開示】
【発明が解決しようとする課題】
【０００５】
上述したSOHOや個人レベルの管理で用いられている簡易な台帳は、図１５に示すように、文字情報だけで管理されている。一方、物品の情報は文字情報だけでは把握しずらい面もあり、上述した専用システムでは文字と一緒に写真などの画像情報を管理することも多くなっている。
【０００６】
しかしながら、表計算ソフト等で管理している台帳に写真情報を貼り付ける作業は煩雑で面倒という理由からSOHOや個人レベルの小規模の物品管理では写真などの画像情報を用いられることが敬遠されており、依然として物品の情報は文字情報だけで管理されており、把握しずらいという問題があった。上述したような専用システムは、商品の有無を厳密に監視する高価なシステムであり、商品の情報そのものを簡易に管理しようとするものではなかった。
【０００７】
本発明はこのような状況に鑑みてなされたものであり、物品の画像データも含めた物品情報を簡易に管理することを目的とする。
【課題を解決するための手段】
【０００８】
本発明に係る第１の物品管理システムは、管理用端末と、格納場所の仮想空間を制御する仮想空間サーバと、無線通信端末とが、ネットワークを介して接続され、前記管理用端末は、前記仮想空間サーバが制御する格納場所の仮想空間イメージを設定する設定手段と、前記仮想空間内のさらに細かい位置を設定する位置エリア設定手段と、を備え、前記仮想空間サーバは、設定された仮想空間イメージ情報と位置エリア情報を格納する格納手段と、前記ネットワークを介して受信した登録情報の処理を行う登録情報処理手段と、を備え、前記格納手段は、前記登録情報も格納し、前記無線通信端末は、前記格納場所に格納する物品の画像データと、前記物品の物品名と、前記格納した場所を識別する位置情報と、を少なくとも含む登録情報を作成する作成手段と、前記作成された登録情報を前記ネットワークを介して前記仮想空間サーバへ送信する通信手段と、を備えることを特徴とする。
【０００９】
本発明に係る第２の物品管理システムは、管理用端末と、格納場所の仮想空間を制御する仮想空間サーバと、無線通信端末とが、ネットワークを介して接続され、前記管理用端末は、前記仮想空間サーバが制御する格納場所の仮想空間イメージを設定する設定手段と、前記仮想空間内のさらに細かい位置を設定する位置エリア設定手段と、前記仮想空間イメージ内で物品を格納したい格納場所を指定する指定手段と、を備え、前記仮想空間サーバは、設定された仮想空間イメージ情報と位置エリア情報を格納する格納手段と、前記管理用端末が備える指定手段により指定された格納場所の位置を特定する位置特定手段と、前記特定された位置の位置情報を前記無線通信端末に送信する登録依頼送信手段と、前記ネットワークを介して受信した登録情報の処理を行う登録情報処理手段と、を備え、前記格納手段は、前記登録情報も格納し、前記無線通信端末は、前記格納場所に格納する物品の画像データと、前記物品の物品名と、を少なくとも含む登録情報を作成する作成手段と、前記作成された登録情報を前記ネットワークを介して前記仮想空間サーバへ送信する通信手段と、を備えることを特徴とする。
【００１０】
本発明に係る第１の仮想空間サーバは、実空間にある物品を格納する格納場所の仮想空間イメージを少なくとも１以上と、画像データと、前記物品の物品名と、前記物品を格納した実空間の場所を識別する位置情報と、を少なくとも含む登録情報をネットワークを介して受信する通信手段と、前記受信した登録情報の処理を行う登録情報処理手段と、前記登録情報を格納するデータ格納手段と、を備えることを特徴とする。
【００１１】
本発明に係る第１の無線通信端末は、実空間にある物品の画像データと、前記物品の物品名と、前記物品を格納した場所を識別する位置情報と、を少なくとも含む登録情報を作成する作成手段と、前記作成された登録情報を前記ネットワークを介して外部装置へ送信する通信手段と、を備えることを特徴とする。
【００１２】
本発明に係る第１の物品管理方法は、設定された物品格納場所の仮想空間イメージと、前記仮想空間内のさらに細かい位置を設定された場合はその位置エリアと、を格納するステップと、実空間にある物品の画像データと、前記物品の物品名と、前記物品を格納した実空間の場所を識別する位置情報と、を少なくとも含む登録情報をネットワークを介して受信するステップと、前記受信した登録情報の処理を行うステップと、前記処理された登録情報を格納するステップと、を備えることを特徴とする。
【００１３】
本発明に係る第１の物品管理プログラムは、設定された物品格納場所の仮想空間イメージと、前記仮想空間内のさらに細かい位置を設定された場合はその位置エリアと、を格納する処理と、実空間にある物品の画像データと、前記物品の物品名と、前記物品を格納した実空間の場所を識別する位置情報と、を少なくとも含む登録情報をネットワークを介して受信する処理と、前記受信した登録情報の処理を行う処理と、前記処理された登録情報を格納する処理と、を備えることを特徴とする。
【００１４】
本発明に係る第１の記録媒体は、本発明の第１の物品管理プログラムの処理を記録するコンピュータ読み取り可能な記録媒体である。
【発明の効果】
【００１５】
本発明によれば、物品の画像データも含めた物品情報を簡易に管理することが出来る。
【発明を実施するための最良の形態】
【００１６】
本発明は、ネットワークに接続されたサーバ上で物品（商品とも称す）の画像データも含めた物品情報を低コストで簡単に管理することができる物品管理システム及びサービスである。さらに、仮想空間イメージを生成することにより物品の格納場所を視覚的に把握することができる。
【００１７】
また、実際の棚に置かれた物品をカメラ付き携帯電話などで写真に取り、棚識別情報を付与したメールを送信するだけで、コンピュータ上につくられた仮想空間のなかにビジュアルに表示されるシステムを提供する。これにより管理者（ユーザ）はSOHOや個人レベルでも多大な投資をすることなく簡易に画像データも含めた物品情報の管理が行えるようになることを特徴とする。
【００１８】
以下に、本発明の実施形態について図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１９】
本発明の実施形態に係る物品管理システムの構成について説明する。図１は、本実施形態に係る物品管理システムの概略構成図である。図１を参照すると、物品管理システムは、仮想空間サーバ１０と、管理用端末２０と、カメラ付き情報端末３０とから構成されている。仮想空間サーバ１０と、管理用端末２０と、カメラ付き情報端末３０はプログラム制御により動作し、インターネット等のネットワーク１００を介して相互に接続されている。
【００２０】
仮想空間サーバ１０は、インターネット上に設置されているワークステーション・サーバ等の情報処理装置である。登録処理部１１と、メール送受信部１２と、データ格納部１４から構成される。図１に示す仮想空間サーバ１０は位置特定部１３を備えるが、本実施形態では無くても良い。
【００２１】
管理用端末２０は、パーソナルコンピュータ（PC）等の情報処理装置である。管理用端末２０は、ネットワーク１００を介して、仮想空間サーバ１０が提供する仮想空間の作成や、物品管理状況の表示を行う。
【００２２】
カメラ付き情報端末３０は、撮像機能を備えた携帯電話等の無線通信端末の一例である。カメラ付き情報端末３０は、ネットワーク１００を介して、仮想空間サーバ１０にアクセスし、物品情報の登録を行う。なお、情報端末３０は、格納する物品の画像データを作成するためにカメラ機能を用いるが、カメラ機能が付いていなくとも、物品の画像データ取得できれば良い。
【００２３】
次に、本実施形態の動作処理について図を参照して詳細に説明する。
【００２４】
図２は、本実施形態の動作処理を示すタイムチャートである。ユーザは、管理用端末２０から、仮想空間サーバ１０にアクセスし仮想空間イメージを登録する（図２、ステップＡ１）。ここで仮想空間イメージは図４に示す棚のようなイメージでも、図５に示す部屋のイメージでも構わない。
【００２５】
仮想空間サーバ１０は、登録された仮想空間イメージから汎用的な画像認識技術により特徴的なエリアブロックを抽出し、位置エリア情報を生成する（ステップＡ２）。例えば、図４に示す仮想空間イメージの場合は、棚のＡ１、Ａ２・・・Ｄ３、Ｄ４というエリアを抽出する。
【００２６】
ユーザは抽出された位置エリア情報を確認し、さらに細かく指定したい等の修正があれば、位置エリア情報を修正する（ステップＡ３）。
【００２７】
仮想空間サーバ１０は確定された仮想空間イメージ情報と位置エリア情報を格納する（ステップＡ４）。
【００２８】
次に、ユーザは、カメラ付き携帯情報端末３０から、物品情報を登録するため、物品を撮影する（ステップＡ５）。ここで撮影した画像を用いて物品情報を登録する場合に、複数の方法が考え得る。仮想空間サーバは、各種の登録方法で受信した画像データや物品名等の登録情報を登録処理部１１で処理し、各情報をデータ格納部１４へ格納する。
【００２９】
［第１の登録方法］
第１の登録方法では、毎回登録する位置エリア情報を入力することが出来る。カメラ付き携帯情報端末３０は、仮想空間サーバ１０にアクセスして撮影した画像のデータを送り、登録するエリアを選択する（ステップＡ６）。これに応答して、仮想空間サーバ１０は選択された位置エリア情報とともに画像データをデータ格納部へ格納する（ステップＡ７）。
【００３０】
第１の登録方法について図を参照して具体的に説明する。図６から図９は、物品情報を登録する際にカメラ付き携帯情報端末３０の表示部等に表示される操作画面の一例を示す図である。カメラ付き携帯情報端末３０から仮想空間サーバ１０にアクセスした場合に、事前にユーザ登録等している場合は、認証画面（図６）にIDとPASSを入力する。
【００３１】
認証されると、位置エリア情報を選択する画面が表示される。本実施形態では、仮想空間イメージとして図４に示す棚のようなイメージを登録しているため、図７に示す位置エリア選択画面は、棚選択画面となり、棚１〜５を選択出来る。いずれかの棚を選択すると、登録したい画像データを確認し（図８）、物品名を入力して登録する（図９）。図８で画像データを確認する場合に、携帯情報端末３０が有する画像データフォルダ等の記憶部から選択出来るようにしても良い。本実施形態では、例えばステップＡ５で撮影をした画像データを先に選択して、機能メニュー等から「仮想空間イメージへ登録する」機能を選択し、仮想空間サーバ１０にアクセスするように制御しても良い。
【００３２】
［第２の登録方法］
カメラ付き携帯情報端末３０は、画像データを添付したメールで仮想空間サーバ１０に登録することも考え得る（ステップＡ６'）。このとき、位置エリア情報をメールに記載して送信する。これに応答して、仮想空間サーバ１０はメール送受信部で受信したメールから画像データと位置エリア情報を取得し、データ格納部へ格納する（ステップＡ７）。
【００３３】
携帯情報端末３０のメール送信画面の一例を図１０に示す。図１０に示すように、例えばタイトルに位置エリア情報（例えば、棚番号）を記載し、メールの宛先は予め登録された仮想空間サーバ１０にアクセスできるアドレスとし、本分に物品名を記載することが考え得る。画像データは添付ファイルとする。メールを受信した仮想空間サーバ１０は、登録処理部１１で、メールのタイトルが位置エリア情報、メール本分が物品名、添付ファイルが物品の画像データであると処理し、データ格納部へ格納する。
【００３４】
［第３の登録方法］
上記第１と第２の登録方法は、登録の際に毎回位置情報の入力が必要となる。実際に物品を保管（配置）する倉庫の棚や物品棚等がとても多い場合は、位置エリアの指定を間違えてしまうことも考え得る。そこで、実際に物品を保管（配置）する棚等の格納場所に予め位置エリア情報を付与した非接触タグを配置したり（ＲＦＩＤ（Radio Frequency Identification）技術の利用）、ＱＲコードを設置したりすることが考え得る（図１１、図１２）。これにより、カメラ付き携帯情報端末３０を格納したい棚に配置された非接触タグにかざしたり、格納したい棚に設置されたＱＲコードの読み取りを行ったりすることで、位置エリア情報を正確に素早く取得することが出来る（図２  Ａ６"）。位置エリア情報が確定された後は、図８に示すように写真撮影画面を確認し、図９に示すように物品名を入力して、仮想空間サーバ１０に送信する。
【００３５】
仮想空間サーバ１０は指定された位置エリア情報とともに写真をデータ格納部へ格納する（ステップＡ７）。ここで、物品自体にも非接触ＩＣタグをつけ物品情報を登録するシステムと連携しておくことにより、物品の移動を反映するシステムを構築することもできる。
【００３６】
次に、物品管理状況の閲覧について説明する。ユーザは管理用端末２０から物品管理状況の閲覧を要求することが出来る（図３  ステップＡ８）。これに応答して仮想空間サーバ１０は仮想空間イメージ、位置エリア情報、画像データをマッピングし、送信する（ステップＡ９）。管理用端末２０は受け取った情報をモニタなどの表示部に表示する（ステップＡ１０）。図１３は、管理用端末２０の表示部に表示された閲覧画面の一例である。
【００３７】
以上のように、本実施形態において、仮想空間サーバ１０の登録処理部１１により、携帯電話標準の写真撮影機能、メール送受信機能、非接触タグ読み取り機能等を用いて携帯電話機等のカメラ付き情報端末３０から登録できるため、撮影した物品の画像データと物品情報の紐付けを容易に行うことが出来る。
【００３８】
また、閲覧の際は、仮想空間イメージデータから位置情報を自動的に抽出し、物品の画像データと格納場所を示す位置エリア情報を紐付けて格納し、それらの情報を描画するため、物品の格納場所を視覚的に表示にできる。
【００３９】
本発明の他の実施形態について図３を用いて説明する。図３は、本実施形態の動作処理を示すタイムチャートである。図３のＢ１〜Ｂ４は図２のＡ１〜Ａ４と同様である。
【００４０】
本実施形態に係る登録システムは、図１に示す構成となる。仮想空間サーバ１０は、上記実施形態と異なり位置特定部１３を有することを特徴とする。
【００４１】
また、本実施形態では、物品登録の方法が図２と異なる。本実施形態は、管理用端末２０から登録エリアを選択することが出来る。実空間において、物品を配置する場所が広い場合等は目的の場所を探すのに時間がかかることがある。そこで、先ず登録エリアを指定して判明した位置エリア情報に該当する格納場所に物品を配置することが出来る。
【００４２】
仮想空間の作成等（Ｂ１〜Ｂ４）が終了した後、管理用端末２０から登録エリア（登録位置とも称す）を選択する（ステップＢ５）。例えば、図１４に示すように仮想空間イメージを管理用端末２０の表示部等に表示し、登録したいエリアをクリックすることで選択することが出来る。
【００４３】
仮想空間サーバ１０は位置特定部１３により登録エリア情報を判定し（ステップＢ６）、登録エリア情報を付与した登録依頼メールをカメラ付き情報端末３０に送信する（ステップＢ７）。
【００４４】
カメラ付き携帯情報端末３０は、受信した登録依頼メールに記載されたＵＲＬをクリックすると、写真撮影画面が起動し写真を撮影する（ステップＢ８）。
【００４５】
カメラ付き携帯情報端末３０は、撮影した写真の画像データを仮想空間サーバに送り、登録する。具体的には仮想空間サーバ１０にアクセスして登録を実行するか（ステップＢ９）、メールにて送信し登録する（ステップＢ９'）。
【００４６】
仮想空間サーバ１０は確定された位置エリア情報とともに画像データをデータ格納部へ格納する（ステップＢ１０）。図３のステップＢ１１〜Ｂ１３は図２のステップＡ８〜Ａ１０と同様の処理である。
【００４７】
なお、物品を保管した実空間の棚に、上述したような非接触タグ等が配置されている場合に、携帯情報端末３０で前記非接触タグ等から位置情報を読取り、画像データ等と共に仮想空間サーバ１０に送ることも考え得る。これにより、仮想空間サーバは予め管理用端末２０で指定された登録位置情報と、前記実際に物品が格納された場所を示す位置情報とを比較し、指定された場所に物品が格納されたか否かを確認することが出来る。
【００４８】
以上のように、本実施形態において、位置特定部１３で管理用端末２０から選択された登録位置を判定し、登録位置情報を指定するため、物品を登録する位置を正確に特定できる。
【００４９】
なお、各図のフローチャートに示す処理を、ＣＰＵが実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００５０】
以上、本発明を好適な実施形態に基づき具体的に説明したが、本発明は上記のものに限定されるものではなく、その要旨を逸脱しない範囲で種々変更可能であることは言うまでもない。
【図面の簡単な説明】
【００５１】
【図１】本発明の実施形態に係る物品管理システムの概略構成図である。
【図２】本発明の実施形態に係る物品管理システムの動作処理を示すタイムチャートである。
【図３】本発明の実施形態に係る物品管理システムの動作処理を示すタイムチャートである。
【図４】本発明の実施形態に係る仮想空間イメージの一例を示す図である。
【図５】本発明の実施形態に係る仮想空間イメージの一例を示す図である。
【図６】本発明の実施形態に係る物品情報を登録する際にカメラ付き携帯情報端末３０の表示部等に表示される操作画面の一例を示す図である。
【図７】本発明の実施形態に係る物品情報を登録する際にカメラ付き携帯情報端末３０の表示部等に表示される操作画面の一例を示す図である。
【図８】本発明の実施形態に係る物品情報を登録する際にカメラ付き携帯情報端末３０の表示部等に表示される操作画面の一例を示す図である。
【図９】本発明の実施形態に係る物品情報を登録する際にカメラ付き携帯情報端末３０の表示部等に表示される操作画面の一例を示す図である。
【図１０】本発明の実施形態に係る携帯情報端末３０のメール送信画面の一例を示す図である。
【図１１】本発明の実施形態に係る位置エリア情報を付与した非接触リーダが配置された棚の一例を示す図である。
【図１２】本発明の実施形態に係る位置エリア情報を付与したＱＲコードが設置された棚の一例を示す図である。
【図１３】本発明の実施形態に係る管理用端末２０の表示部に表示された閲覧画面の一例を示す図である。
【図１４】本発明の実施形態に係る仮想空間イメージ上で登録エリアを選択する際の表示例を示す図である。
【図１５】従来の簡易な台帳の一例を示す図である。
【符号の説明】
【００５２】
１０    仮想空間サーバ
１１    登録処理部
１２    メール送受信部
１３    位置特定部
１４    データ格納部
２０    管理用端末
３０    カメラ付き情報端末
１００    ネットワーク
【図１】
2009196805.tif 000003
【図２】
2009196805.tif 000004
【図３】
2009196805.tif 000005
【図４】
2009196805.tif 000006
【図５】
2009196805.tif 000007
【図６】
2009196805.tif 000008
【図７】
2009196805.tif 000009
【図８】
2009196805.tif 000010
【図９】
2009196805.tif 000011
【図１０】
2009196805.tif 000012
【図１１】
2009196805.tif 000013
【図１２】
2009196805.tif 000014
【図１３】
2009196805.tif 000015
【図１４】
2009196805.tif 000016
【図１５】
2009196805.tif 000017